(57)【要約】【課題】移動体通信システムにおける移動体通信用音声データの符号化復号化処理を司る音声処理装置において、装置内に実装されている各機能ユニットの運用状態の変化を検出した場合に、この音声処理装置の上位装置である移動通信用交換機へ送信する「状態通知メッセージ」が、多量に発生することを回避する。【解決手段】音声処理装置に実装されるすべてのユニットの運用状態を監視周期ごとに定期的に問い合わせ、運用状態に変化が生じているかを監視する監視制御手段と、運用状態に変化が生じた場合に「状態通知メッセージ」を編集して移動通信用交換機に制御線を介して送信するメッセージ送信手段と、前記制御線のトラヒックを監視し、トラヒック量が別途備えるしきい値を上回る又は下回る変化があった場合に、その旨を監視制御手段に通知することにより、監視制御手段の監視周期を変更させる処理を行なうトラヒック監視制御手段と、を備える。【選択図】      図１
2005020236.tif 000002
【特許請求の範囲】
【請求項１】
移動通信用交換機と無線基地局装置の間にあって移動体通信用音声データの符号化復号化処理を司る音声処理装置における「状態通知メッセージ」の削減方式であって、前記音声処理装置は、前記移動通信用交換機との伝送路を終端する交換機側伝送路終端ユニットと、音声データを符号化／復号化処理するチャネル対応の複数の符号化／復号化ユニットと、前記無線基地局装置との伝送路を終端する基地局側伝送路終端ユニットと、前記音声処理装置に実装されるすべての前記ユニットの運用状態を監視周期ごとに定期的に問い合わせ、前記ユニットごとの運用状態に変化が生じているかを監視する監視制御手段と、前記ユニットごとの運用状態に変化が生じた場合に、運用状態の変化を「状態通知メッセージ」に編集して前記移動通信用交換機に制御線を介して送信するメッセージ送信手段と、前記制御線のトラヒックを監視し、トラヒック量が別途備えるしきい値を上回る又は下回る変化があった場合に、その旨を前記監視制御手段に通知することにより、前記監視制御手段の監視周期を変更させる処理を行なうトラヒック監視制御手段と、を備えることを特徴とする音声処理装置における「状態通知メッセージ」の削減方式。
【請求項２】
前記トラヒック監視制御手段は、前記制御線のトラヒック量が別途備えるしきい値を上回る変化を検出した場合には、前記監視制御手段の監視周期を大きくさせるように処理し、前記制御線のトラヒック量が別途備えるしきい値を下回る変化を検出した場合には、前記監視制御手段の監視周期を小さくさせるように処理する、ことを特徴とする請求項１に記載の音声処理装置における「状態通知メッセージ」の削減方式。
【請求項３】
前記音声処理装置は、前記監視制御手段の監視周期の値、及び、前記トラヒック監視制御手段の別途備えるしきい値の値を、任意の値に設定する設定手段を更に備える、ことを特徴とする請求項１或いは請求項２の何れか１項に記載の音声処理装置における「状態通知メッセージ」の削減方式。
【請求項４】
移動通信用交換機と無線基地局装置の間にあって移動体通信用音声データの符号化復号化処理を司る音声処理装置における「状態通知メッセージ」の削減方法であって、前記音声処理装置は、前記移動通信用交換機との伝送路を終端する交換機側伝送路終端ユニットと、音声データを符号化／復号化処理するチャネル対応の複数の符号化／復号化ユニットと、前記無線基地局装置との伝送路を終端する基地局側伝送路終端ユニットと、前記音声処理装置に実装されるすべての前記ユニットの運用状態を監視周期ごとに定期的に問い合わせ、前記ユニットごとの運用状態に変化が生じているかを監視する監視制御手段と、前記ユニットごとの運用状態に変化が生じた場合に、運用状態の変化を「状態通知メッセージ」に編集して前記移動通信用交換機に制御線を介して送信するメッセージ送信手段と、を備え、前記音声処理装置は、前記制御線のトラヒックを監視し、トラヒック量が別途備えるしきい値を上回る又は下回る変化があった場合に、その旨を前記監視制御手段に通知することにより、前記監視制御手段の監視周期を変更させる処理を行なうトラヒック監視制御ステップを実行する、ことを特徴とする音声処理装置における「状態通知メッセージ」の削減方法。
【請求項５】
前記トラヒック監視制御ステップにおいて、前記制御線のトラヒック量が別途備えるしきい値を上回る変化を検出した場合には、前記監視制御手段の監視周期を大きくさせるステップを実行し、前記制御線のトラヒック量が別途備えるしきい値を下回る変化を検出した場合には、前記監視制御手段の監視周期を小さくさせるステップを実行する、ことを特徴とする請求項４に記載の音声処理装置における「状態通知メッセージ」の削減方法。
【請求項６】
前記音声処理装置は、前記監視制御手段の監視周期の値、及び、前記トラヒック監視制御ステップで参照する別途備えるしきい値の値を、任意の値に設定する設定ステップを更に実行する、ことを特徴とする請求項４或いは請求項５の何れか１項に記載の音声処理装置における「状態通知メッセージ」の削減方法。
【発明の詳細な説明】
【０００１】
【発明の属する技術分野】
本発明は、音声処理装置における「状態通知メッセージ」の削減方式およびその方法に関し、特に、移動体通信システムにおける移動体通信用音声データの符号化復号化処理を司る音声処理装置に関し、音声処理装置が保守の目的で装置内に実装されている各機能ユニットの運用状態の変化を検出した場合に、この音声処理装置の上位装置である移動体通信用交換機へ送信する「状態通知メッセージ」が、多量に発生することを回避することを可能とする、音声処理装置における「状態通知メッセージ」の削減方式およびその方法に関する。
【０００２】
【従来の技術】
図１は、移動体通信システムの一実施例を示す図であり、移動通信用交換機１と、音声処理装置２と、無線基地局装置３と、移動通信用交換機１と音声処理装置２とを接続する交換機側伝送路４と、音声処理装置２と無線基地局装置３とを接続する基地局側伝送路５と、移動通信用交換機１と音声処理装置２とを接続し制御データなどを送受する制御線６と、から構成されている。この従来の音声処理装置２は、装置内の運用状態を管理する監視制御ユニット２１と、移動通信用交換機１との伝送路を終端する交換機側伝送路終端ユニット２２と、無線基地局装置３との伝送路を終端する基地局側伝送路終端ユニット２４と、データを符号化／復号化処理する符号化／復号化ユニット２３（０〜Ｎ）とから構成されている。無線基地局装置３は、音声処理装置２内の基地局側伝送路終端ユニット２４と対向する伝送路終端ユニット３１と、音声処理装置２内の符号化／復号化ユニット２３（０〜Ｎ）と対向する送受信ユニット３２とから構成されている。
【０００３】
このような構成を有する従来の音声処理装置２における「状態通知メッセージ」は、以下のような場合に発生する。すなわち、監視制御ユニット２１は、定期的に各機能ユニットの最新の運用状態（実装、障害、エラー等）を取得し、ある機能ユニットの運用状態変化を検出した場合、「状態通知メッセージ」を編集して移動通信用交換機１に送信する。そして、装置内に複数実装されている符号化／復号化ユニット２３（０〜Ｎ）の運用状態に対し共通に影響を与える事象が発生した場合においても、監視制御ユニット２１が複数の「状態通知メッセージ」を一斉に移動通信用交換機１へ送信していた。
【０００４】
例えば、無線基地局装置３との間の基地局側伝送路５に障害等が発生し、基地局側伝送路５を終端する基地局側伝送路終端ユニット２４の運用状態が、異常発生と復旧を繰り返した場合、基地局側伝送路５上のタイムスロットの特定ビットを、無線基地局装置３の送受信ユニット３２と音声処理装置２内の符号化／復号化ユニット２３（０〜Ｎ）との同期合わせのために使用しているので、符号化／復号化ユニット２３（０〜Ｎ）は同期はずれ（エラー）状態となる。この符号化／復号化ユニット２３（０〜Ｎ）の運用状態の変化を監視制御ユニット２１が検出し、移動通信用交換機１へ「状態通知メッセージ」を送信する。符号化／復号化ユニット２３（０〜Ｎ）が多数実装されているため、各符号化／復号化ユニット２３（０〜Ｎ）の「状態通知メッセージ」が多量に発生する。
【０００５】
この「状態通知メッセージ」の一斉送信は、移動通信用交換機１の輻輳を招き、移動通信用交換機１の処理能力を低下させ、従って、移動体通信システムへ多大な悪影響を及ぼしていた。
【０００６】
このような「状態通知メッセージ」の一斉送信を削減するために、従来は、全く同一のメッセージが連続出力要求された場合は、２回目以降の出力はそのメッセージＩＤのみとし、また、同じメッセージＩＤでその内容の一部分が違うメッセージが連続する場合には、そのメッセージＩＤと差分のみを出力するようにしている（例えば、特許文献１参照。）。
【０００７】
【特許文献１】
特開平１−３０６９１９号公報（第１−２頁、第１図、第２図）
【０００８】
【発明が解決しようとする課題】
上述した従来の「状態通知メッセージ」の一斉送信を削減する方式は、メッセージＩＤのみを送信するとしても、メッセージ数を削減するものではなく、また、上述した音声処理装置２においては、符号化／復号化ユニット２３（０〜Ｎ）が同期はずれ（エラー）状態となっても、無線基地局装置３との間の基地局側伝送路５の障害等の場合は、各符号化／復号化ユニット２３（０〜Ｎ）の「状態通知メッセージ」を編集する必要が無いにもかかわらず、多量のメッセージが発生してしまう、という問題点を有している。
【０００９】
本発明は上述した事情を改善するために成されたものであり、従って本発明の目的は、移動体通信システムにおける移動体通信用音声データの符号化復号化処理を司る音声処理装置に関し、音声処理装置が保守の目的で装置内に実装されている各機能ユニットの運用状態の変化を検出した場合に、この音声処理装置の上位装置である移動通信用交換機へ送信する「状態通知メッセージ」が、多量に発生することを回避することを可能とする、音声処理装置における「状態通知メッセージ」の削減方式およびその方法を提供することにある。
【００１０】
【課題を解決するための手段】
本発明の音声処理装置における「状態通知メッセージ」の削減方式は、移動通信用交換機と無線基地局装置の間にあって移動体通信用音声データの符号化復号化処理を司る音声処理装置における「状態通知メッセージ」の削減方式であって、前記音声処理装置は、前記移動通信用交換機との伝送路を終端する交換機側伝送路終端ユニットと、音声データを符号化／復号化処理するチャネル対応の複数の符号化／復号化ユニットと、前記無線基地局装置との伝送路を終端する基地局側伝送路終端ユニットと、前記音声処理装置に実装されるすべての前記ユニットの運用状態を監視周期ごとに定期的に問い合わせ、前記ユニットごとの運用状態に変化が生じているかを監視する監視制御手段と、前記ユニットごとの運用状態に変化が生じた場合に、運用状態の変化を「状態通知メッセージ」に編集して前記移動通信用交換機に制御線を介して送信するメッセージ送信手段と、前記制御線のトラヒックを監視し、トラヒック量が別途備えるしきい値を上回る又は下回る変化があった場合に、その旨を前記監視制御手段に通知することにより、前記監視制御手段の監視周期を変更させる処理を行なうトラヒック監視制御手段と、を備えることを特徴とする。
【００１１】
また、前記トラヒック監視制御手段は、前記制御線のトラヒック量が別途備えるしきい値を上回る変化を検出した場合には、前記監視制御手段の監視周期を大きくさせるように処理し、前記制御線のトラヒック量が別途備えるしきい値を下回る変化を検出した場合には、前記監視制御手段の監視周期を小さくさせるように処理する、ことを特徴とする。
【００１２】
さらに、前記音声処理装置は、前記監視制御手段の監視周期の値、及び、前記トラヒック監視制御手段の別途備えるしきい値の値を、任意の値に設定する設定手段を更に備える、ことを特徴とする。
【００１３】
本発明の音声処理装置における「状態通知メッセージ」の削減方法は、移動通信用交換機と無線基地局装置の間にあって移動体通信用音声データの符号化復号化処理を司る音声処理装置における「状態通知メッセージ」の削減方法であって、前記音声処理装置は、前記移動通信用交換機との伝送路を終端する交換機側伝送路終端ユニットと、音声データを符号化／復号化処理するチャネル対応の複数の符号化／復号化ユニットと、前記無線基地局装置との伝送路を終端する基地局側伝送路終端ユニットと、前記音声処理装置に実装されるすべての前記ユニットの運用状態を監視周期ごとに定期的に問い合わせ、前記ユニットごとの運用状態に変化が生じているかを監視する監視制御手段と、前記ユニットごとの運用状態に変化が生じた場合に、運用状態の変化を「状態通知メッセージ」に編集して前記移動通信用交換機に制御線を介して送信するメッセージ送信手段と、を備え、前記音声処理装置は、前記制御線のトラヒックを監視し、トラヒック量が別途備えるしきい値を上回る又は下回る変化があった場合に、その旨を前記監視制御手段に通知することにより、前記監視制御手段の監視周期を変更させる処理を行なうトラヒック監視制御ステップを実行する、ことを特徴とする。
【００１４】
また、前記トラヒック監視制御ステップにおいて、前記制御線のトラヒック量が別途備えるしきい値を上回る変化を検出した場合には、前記監視制御手段の監視周期を大きくさせるステップを実行し、前記制御線のトラヒック量が別途備えるしきい値を下回る変化を検出した場合には、前記監視制御手段の監視周期を小さくさせるステップを実行する、ことを特徴とする。
【００１５】
さらに、前記音声処理装置は、前記監視制御手段の監視周期の値、及び、前記トラヒック監視制御ステップで参照する別途備えるしきい値の値を、任意の値に設定する設定ステップを更に実行する、ことを特徴とする。
【００１６】
【発明の実施の形態】
次に、本発明の実施の形態について図面を参照して説明する。
【００１７】
図１は、本発明の音声処理装置における「状態通知メッセージ」の削減方式の一実施形態を示すブロック図である。
【００１８】
図１に示す本実施の形態は、移動体通信システムの一実施例を示しており、移動通信用交換機１と、音声処理装置２と、無線基地局装置３と、移動通信用交換機１と音声処理装置２とを接続する交換機側伝送路４と、音声処理装置２と無線基地局装置３とを接続する基地局側伝送路５と、移動通信用交換機１と音声処理装置２とを接続し「状態通知メッセージ」や制御データなどを送受する制御線６と、から構成されている。
【００１９】
そして、音声処理装置２は、音声処理装置２内の各機能ユニットの運用状態（実装、障害、エラー等）を管理する監視制御ユニット２１と、移動通信用交換機１との交換機側伝送路４を終端する交換機側伝送路終端ユニット２２と、無線基地局装置３との基地局側伝送路５を終端する基地局側伝送路終端ユニット２４と、音声データを符号化／復号化処理する複数（Ｎ＋１個）の符号化／復号化ユニット２３（０〜Ｎ）とから構成されている。
【００２０】
また、無線基地局装置３は、音声処理装置２内の基地局側伝送路終端ユニット２４と対向する伝送路終端ユニット３１と、音声処理装置２内の符号化／復号化ユニット２３（０〜Ｎ）と対向する送受信ユニット３２とから構成されている。
【００２１】
図１において、下り音声データの流れは、以下のとおりである。すなわち、下り音声データは、移動通信用交換機１より交換機側伝送路４を介して交換機側伝送路終端ユニット２２へ入力され、交換機側伝送路終端ユニット２２にてチャネル毎に分割され、各符号化／復号化ユニット２３（０〜Ｎ）で符号化され、基地局側伝送路終端ユニット２４でまとめられ、基地局側伝送路５を介して無線基地局装置３へ出力される。
【００２２】
上り音声データの伝送経路は全く逆であり、無線基地局装置３より基地局側伝送路５を介して基地局側伝送路終端ユニット２４へ入力され、基地局側伝送路終端ユニット２４にてチャネル毎に分割され、各符号化／復号化ユニット２３（０〜Ｎ）で復号化され、交換機側伝送路終端ユニット２２でまとめられ、交換機側伝送路４を介して移動通信用交換機１へ出力される。
【００２３】
次に、図２を参照して、音声処理装置２の監視制御ユニット２１の詳細について説明する。
【００２４】
図２は、音声処理装置の監視制御ユニットの一例を示す詳細ブロック図である。
【００２５】
図２を参照すると、本実施形態の監視制御ユニット２１は、プログラム制御により動作する主処理部２１１と、音声処理装置２内の各機能ユニット（２２、２３、２４）の運用状態データを記憶しておく運用状態データ記憶部２１２と、制御線６を介して「状態通知メッセージ」を移動通信用交換機１へ送信する送信処理部２１３と、から構成されている。
【００２６】
主処理部２１１は、音声処理装置２内の各機能ユニット（２２、２３、２４）の最新運用状態と運用状態データ記憶部２１２とを比較し、運用状態が変化したことを検出する監視手段２１１１と、上位装置であるところの移動通信用交換機１へ送信するメッセージを編集するメッセージ編集手段２１１２と、を備えている。
【００２７】
送信処理部２１３は、送信メッセージにヘッダを付加し上位装置であるところの移動通信用交換機１へ制御線６を介して「状態通知メッセージ」を送信するプロトコル処理手段２１３１と、制御線６のトラヒックを監視するトラヒック監視手段２１３２と、を備えている。
【００２８】
これらの手段はそれぞれ概略つぎのように動作する。
【００２９】
監視手段２１１１は、予め定められている監視周期ごとに、各機能ユニットの最新運用状態を各機能ユニットに問い合わせ、運用状態データ記憶部２１２に格納してあるその機能ユニットの運用状態と比較することにより、その機能ユニットの運用状態の変化を検出する。トラヒック監視手段２１３２から通知を受けた場合は、機能ユニットの監視周期を変更する。
【００３０】
メッセージ編集手段２１１２は、監視手段２１１１で検出された機能ユニットの運用状態変化の内容で、運用状態データ記憶部２１２の該当機能ユニットの情報エリアを更新し、移動通信用交換機１へ「状態通知メッセージ」として通知するために規定のメッセージフォーマットへ変換しメッセージの編集を行う。メッセージ編集手段２１１２で生成した「状態通知メッセージ」を、プロトコル処理手段２１３１へ引き渡す。
【００３１】
プロトコル処理手段２１３１では、制御線６のプロトコルにあわせた信号処理を行い、「状態通知メッセージ」を制御線６へ送出する。
【００３２】
トラヒック監視手段２１３２は、プロトコル処理手段２１３１の出力を監視し、制御線６上のトラヒックを算出する。トラヒック監視手段２１３２が算出したトラヒック量が、あらかじめ設定したしきい値を超えると、監視手段２１１１へ通知する。
【００３３】
次に、図３、図４を参照して、図１、図２に示した本実施形態の全体の動作について詳細に説明する。
【００３４】
図３は、本実施形態の監視周期の変更の様子を説明するタイムチャートである。
【００３５】
まず、図２に示す監視制御ユニット２１の主処理部２１１の監視手段２１１１は、音声処理装置２に実装されるすべての機能ユニットの運用状態を、定期的に各機能ユニットに問い合わせる。問い合わせを行う監視周期は２種類持ち、通常は、監視周期「Ｔ１」である（図３下段の「Ｔ１」）。そして、トラヒック監視手段２１３２から、ＭＪ通知（制御線６のトラヒック量が、しきい値「Ｓ１」を超えたことの通知。「メジャーの通知」という意から「ＭＪ通知」と称するものとする。図３のＡ点として示す。）を受信したら、監視周期を「Ｔ２」へ変更し監視周期を大きくする（図３下段の「Ｔ２」）。トラヒック監視手段２１３２から、ＭＮ通知（制御線６のトラヒック量が、しきい値「Ｓ２」を下回ったことの通知。「マイナーの通知」という意から「ＭＮ通知」と称するものとする。図３のＢ点として示す。）を受信したら、監視周期を「Ｔ１」へ変更し監視周期を元に戻す（図３下段のＢ点）。
【００３６】
音声処理装置２内の各機能ユニットの運用状態の監視順序は、交換機側伝送路終端ユニット２２、基地局側伝送路終端ユニット２４、符号化／復号化ユニット２３（０〜Ｎ）の昇順（０からＮの順）に実行される。
【００３７】
図４は、符号化／復号化ユニットの運用状態の監視手順を説明するフローチャートである。他の機能ユニットの監視手順も同様である。
【００３８】
図４において、監視手段２１１１は、符号化／復号化ユニット２３（０）に問い合わせを行い、符号化／復号化ユニット２３（０）から最新の運用状態データを取得する（ステップＡ１）。符号化／復号化ユニット２３（０）の最新運用状態データと、運用状態データ記憶部２１２に格納してある符号化／復号化ユニット２３（０）の運用状態データとを比較することにより、符号化／復号化ユニット２３（０）の運用状態の変化を検出する（ステップＡ２）。符号化／復号化ユニット２３（０）の運用状態に変化が見られない場合は（ステップＡ２でＮｏ）、処理を終了する（ステップＡ６に進む）。ここで、符号化／復号化ユニット２３（０）の運用状態が変化した場合は（ステップＡ２でＹｅｓ）、メッセージ編集手段２１１２が、運用状態データ記憶部２１２の符号化／復号化ユニット２３（０）の運用状態データを更新し（ステップＡ３）、「状態通知メッセージ」を送信するためにメッセージの編集を行ない（ステップＡ４）、送信処理部２１３へ「状態通知メッセージ」を出力する（ステップＡ５）。
【００３９】
次に、「状態通知メッセージ」を受信した監視制御ユニット２１の送信処理部２１３は、プロトコル処理手段２１３１が、メッセージ編集手段２１１２の出力である「状態通知メッセージ」にヘッダ等を付加し制御線６へ送出する。トラヒック監視手段２１３２は並行して、制御線６のトラヒック状況を監視しており、制御線６のトラヒック量がしきい値「Ｓ１」を超えた場合、監視手段２１１１へＭＪ通知を出力し（図３のＡ点）、制御線６のトラヒック量がしきい値「Ｓ２」を下回ったら、監視手段２１１１へＭＮ通知を出力する（図３のＢ点）。
【００４０】
次に、具体例を用いて本実施形態の動作を説明する。
【００４１】
図１において、たとえば、基地局側伝送路５が異常であり、基地局側伝送路終端ユニット２４の運用状態がエラー発生とエラー復旧を繰り返している。同様に、符号化／復号化ユニット２３（０〜Ｎ）もエラー発生とエラー復旧を繰り返している。このとき、監視手段２１１１は、基地局側伝送路終端ユニット２４および符号化／複号化ユニット２３（０〜Ｎ）の運用状態の変化を検出し、結果として多量の「状態通知メッセージ」を発生することになる。その結果、制御線６のトラヒックが高くなり、トラヒック監視手段２１３２において、トラヒック量が低から高へと変化してしきい値「Ｓ１」を上回ったことを検出し（図３上段のＡ点）、トラヒック監視手段２１３２よりＭＪ通知が監視手段２１１１へ出力される。監視手段２１１１はＭＪ通知を受け取り、監視周期を「Ｔ１」から「Ｔ２」へ変更する（図３下段のＡ点）。監視周期の大小関係は、Ｔ１＜Ｔ２に設定してある。そのため、監視の周期が大きくなって緩慢になり、結果として「状態通知メッセージ」が抑制され、制御線６のトラヒックが低下してくる。制御線６のトラヒックが減少し、トラヒック量のしきい値「Ｓ２」を下回ると（図３上段のＢ点）、トラヒック監視手段２１３２よりＭＮ通知が監視手段２１１１へ出力される。監視手段２１１１はＭＮ通知を受け取り、監視周期を「Ｔ２」から「Ｔ１」へ変更する（図３下段のＢ点）。
【００４２】
なお、本実施形態で使用した監視周期「Ｔ１」「Ｔ２」の値、及び、トラヒック量のしきい値「Ｓ１」「Ｓ２」の値は、音声処理装置２のシステムパラメータとして、任意の値を設定可能な構成とするものとする。
【００４３】
以上説明したように、本実施形態においては、音声処理装置２と移動通信用交換機１間の制御線６のトラヒックを監視し、制御線６のトラヒック量に応じて監視周期を変更するようにしているため、監視周期のタイミングで発生する「状態通知メッセージ」をダイナミックにコントロールする処理機構を備えるものとなり、音声処理装置２からの多量の「状態通知メッセージ」の送信を抑制できる、という効果を奏するものとなる。その結果、移動通信用交換機１の輻輳を回避することが可能になる。
【００４４】
次に、図５を参照して、本発明の第２の実施形態について説明する。
【００４５】
図５は、第２の実施形態における監視周期の変更の様子を説明するタイムチャートである。
【００４６】
図５を参照すると、本発明の第２の実施形態は、トラヒック監視手段２１３２の監視するトラヒック量のしきい値が３種類（Ｓ１１、Ｓ１２、及びＳ２）となっており、監視手段２１１１の監視周期が３種類（Ｔ１、及びＴ２１とＴ２２）となっている点で、第１の実施形態と異なるものである。
【００４７】
すなわち、第２の実施形態においては、監視手段２１１１の監視周期を「Ｔ２」に変更してもなお、制御線６のトラヒックが下がらない場合が想定できるので、これに対応可能にするため、ＭＪ通知を２段階で設定し（ＭＪ１とＭＪ２）、それぞれに対応して監視手段２１１１の監視周期を割り当てるようにしたものである。
【００４８】
第２の実施形態の動作について図５を参照して詳細に説明する。
【００４９】
トラヒック監視手段２１３２は、制御線６のトラヒックを監視して、トラヒック量がしきい値「Ｓ１１」を超えたら、ＭＪ１通知を監視手段２１１１へ出力する（図５上段のＡ点）。監視手段２１１１は、ＭＪ１通知を受け取ると、監視周期を「Ｔ２１」へ変更する（図５下段のＡ点）。トラヒック監視手段２１３２は、制御線６のトラヒックを監視して、トラヒック量がしきい値「Ｓ１２」を超えたら、ＭＪ２通知を監視手段２１１１へ出力する（図５上段のＢ点）。監視手段２１１１は、ＭＪ２通知を受け取ると、監視周期を「Ｔ２２」へ変更する（図５下段のＢ点）。トラヒック監視手段２１３２は、制御線６のトラヒックを監視して、トラヒック量がしきい値「Ｓ２」を下回ったら、ＭＮ通知を監視手段２１１１へ出力する（図５上段のＣ点）。監視手段２１１１は、ＭＮ通知を受け取ると、監視周期を「Ｔ１」へ変更する（図５下段のＣ点）。
【００５０】
【発明の効果】
以上説明したように、本発明の音声処理装置における「状態通知メッセージ」の削減方式およびその方法は、移動体通信システムにおける移動体通信用音声データの符号化復号化処理を司る音声処理装置において、音声処理装置と移動通信用交換機間の制御線のトラヒックを監視し、制御線のトラヒック量に応じて「状態通知メッセージ」の発生をダイナミックにコントロールする処理機構を備えているため、音声処理装置の上位装置である移動通信用交換機へ送信する「状態通知メッセージ」が多量に発生することを回避することが可能となる、という効果を有している。
【図面の簡単な説明】
【図１】本発明の音声処理装置における「状態通知メッセージ」の削減方式の一実施形態を示すブロック図である。
【図２】音声処理装置の監視制御ユニットの一例を示す詳細ブロック図である。
【図３】本実施形態の監視周期の変更の様子を説明するタイムチャートである。
【図４】符号化／復号化ユニットの運用状態の監視手順を説明するフローチャートである。
【図５】第２の実施形態における監視周期の変更の様子を説明するタイムチャートである。
【符号の説明】
１    移動通信用交換機
２    音声処理装置
２１    監視制御ユニット
２１１    主処理部
２１１１    監視手段
２１１２    メッセージ編集手段
２１２    運用状態データ記憶部
２１３    送信処理部
２１３１    プロトコル処理手段
２１３２    トラヒック監視手段
２２    交換機側伝送路終端ユニット
２３    符号化／復号化ユニット
２４    基地局側伝送路終端ユニット
３    無線基地局装置
３１    伝送路終端ユニット
３２    送受信ユニット
４    交換機側伝送路
５    基地局側伝送路
６    制御線
【図１】
2005020236.tif 000003
【図２】
2005020236.tif 000004
【図３】
2005020236.tif 000005
【図４】
2005020236.tif 000006
【図５】
2005020236.tif 000007